(57)【要約】【課題】搬送時等の取扱いを容易に行うことができる表示パネルを提供することにある。【解決手段】表示パネルとしてのプラズマディスプレイパネル１は、各々、長方形の前面基板３０及び長方形の背面基板４０と、前面基板３０と背面基板４０の間に放電空間６０を画定すべく前面基板３０と背面基板４０をその外周縁部で接合するシール材５０とを備える。前面基板１は、背面基板２とサイズが同じであり、互いにずれることなく長手方向が同一となるように対向している。前面基板３０は、長手方向に関してその両端部３１の一方に電極取出し部３５を有し、背面基板４０は、背面基板４０の長手方向に関して両側部４１の一方に電極取出し部４５を有する。【選択図】      図１
2004286969.tif 000002
【特許請求の範囲】
【請求項１】
前面基板と、前記前面基板に接合された背面基板とを有する表示パネルにおいて、前記前面基板と前記背面基板は形状及びサイズが同一であり、互いにずれることなく対向していることを特徴とする表示パネル。
【請求項２】
前記前面基板及び前記背面基板の少なくとも一方の基板は、前記少なくとも一方の基板の４辺の少なくとも１辺に、複数の電極と、当該複数の電極を取出す電極取出し部とを有することを特徴とする請求項１記載の表示パネル。
【請求項３】
前記前面基板及び前記背面基板の少なくとも一方の基板は、前記少なくとも一方の基板の４辺の少なくとも１辺の縁に、複数の電極と、当該複数の電極を取出す電極取出し部とを有することを特徴とする請求項２記載の表示パネル。
【請求項４】
前記前面基板及び前記背面基板の少なくとも一方の基板は、前記少なくとも一方の基板の４辺の少なくとも１辺の内側に、複数の電極と、当該複数の電極を取出す電極取出し部とを有することを特徴とする請求項２記載の表示パネル。
【請求項５】
前記電極取出し部は、前記前面基板及び前記背面基板の少なくとも一方の基板とハンダにより接合されていることを特徴とする請求項２乃至４のいずれか１項に記載の表示パネル。
【請求項６】
前記電極取出し部は、当該電極取出し部の４側面のうち少なくとも１側面上に電気的絶縁層を有することを特徴とする請求項２乃至５のいずれか１項に記載の表示パネル。
【請求項７】
前記電極は、前記電極取出し部を狭持するように形成された略コの字型部材から成ることを特徴とする請求項２乃至６のいずれか１項に記載の表示パネル。
【請求項８】
前記電極は、前記電極取出し部を貫通する棒状部材から成ることを特徴とする請求項２乃至６のいずれか１項に記載の表示パネル。
【発明の詳細な説明】
【０００１】
【発明の属する技術分野】
本発明は、表示パネルに関し、特にプラズマディスプレイパネルに関する。
【０００２】
【従来の技術】
従来のプラズマディスプレイパネルは、図７（ａ）及び図７（ｂ）に示すように、各々、例えばソーダライムガラス製の透明基板から成る長方形の前面基板１及び長方形の背面基板２と、前面基板１と背面基板２の間に放電ガスが注入される放電空間６を画定すべく前面基板１と背面基板２をその外周縁部で接合するシール材７とを備える。前面基板１と背面基板２とは、夫々、長手方向が互いに直交する。前面基板１は長手方向に関してその両端部２３が背面基板２に対して突出し、背面基板２は長手方向に関してその両端部２４が前面基板１に対して突出している。
【０００３】
前面基板１及び背面基板２のうち、前面基板１には、前面基板１の放電空間６側の面上に表示電極９ａ、主として亜鉛含有フリットガラスから構成される誘電体層８ａ、及び主として酸化マグネシウムから構成される保護層１０が順に積層されている。表示電極９ａは、前面基板１の両端部２３間で平行に配列される。
【０００４】
一方、同じく背面基板２には、背面基板２の放電空間６側の面上に画面上下分割用のデータ電極５、及び主として亜鉛含有フリットガラスから構成される誘電体層８ｂが順に積層されている。データ電極５は、背面基板２の両端部２４の間で交互に且つ平行に配列され、且つ前面基板１の表示電極９ａと直交するように対向して配列される。
【０００５】
表示電極９ａの外部への取出しは、前面基板１の両端部２３から行われ、データ電極５の外部への取出しは、背面基板２の両端部２４から行われる。
【０００６】
【特許文献１】
特開２００１−３２５８８９号公報
【０００７】
【発明が解決しようとする課題】
しかしながら、上記プラズマディスプレイパネルにおいて、前面基板１は両端部２３が背面基板２に対して突出し、背面基板２は両端部２４が前面基板１に対して突出しているので、両端部２３及び両端部２４が構造的に弱く、搬送時等の取扱いが困難である。
【０００８】
本発明の目的は、搬送時等の取扱いを容易に行うことができる表示パネルを提供することにある。
【０００９】
【課題を解決するための手段】
上記問題を解決するために、請求項１記載の表示パネルは、前面基板と、前記前面基板に接合された背面基板とを有する表示パネルにおいて、前記前面基板と前記背面基板は形状及びサイズが同一であり、互いにずれることなく対向していることを特徴とする。
【００１０】
請求項１記載の表示パネルによれば、前面基板と背面基板は形状及びサイズが同一であり、互いにずれることなく対向しているので、前面基板及び背面基板が構造的に強くなり、もって搬送時等の取扱いを容易に行うことができる。
【００１１】
請求項２記載の表示パネルは、請求項１記載の表示パネルにおいて、前記前面基板及び前記背面基板の少なくとも一方の基板は、前記少なくとも一方の基板の４辺の少なくとも１辺に、複数の電極と、当該複数の電極を取出す電極取出し部とを有することを特徴とする。
【００１２】
請求項２記載の表示パネルによれば、前面基板及び背面基板の少なくとも一方の基板は、少なくとも一方の基板の４辺の少なくとも１辺に、複数の電極と、複数の電極を取出す電極取出し部とを有するので、前面基板及び背面基板の両端部を突出させずに外部への電極の取出しを行うことができ、もって前面基板の寸法を小さくすることができる。
【００１３】
請求項３記載の表示パネルは、請求項２記載の表示パネルにおいて、前記前面基板及び前記背面基板の少なくとも一方の基板は、前記少なくとも一方の基板の４辺の少なくとも１辺の縁に、複数の電極と、当該複数の電極を取出す電極取出し部とを有することを特徴とする。
【００１４】
請求項３記載の表示パネルによれば、前面基板及び背面基板の少なくとも一方の基板は、少なくとも一方の基板の４辺の少なくとも１辺の縁に、複数の電極と、複数の電極を取出す電極取出し部とを有するので、前面基板及び背面基板の両端部を突出させずに外部への電極の取出しを行うことができ、もって前面基板の寸法を小さくすることができる。
【００１５】
請求項４記載の表示パネルは、請求項２記載の表示パネルにおいて、前記前面基板及び前記背面基板の少なくとも一方の基板は、前記少なくとも一方の基板の４辺の少なくとも１辺の内側に、複数の電極と、当該複数の電極を取出す電極取出し部とを有することを特徴とする。
【００１６】
請求項４記載の表示パネルによれば、前面基板及び背面基板の少なくとも一方の基板は、少なくとも一方の基板の４辺の少なくとも１辺の内側に、複数の電極と、複数の電極を取出す電極取出し部とを有するので、前面基板及び背面基板を更に構造的に強くすることができる。
【００１７】
請求項５記載の表示パネルは、請求項２乃至４のいずれか１項に記載の表示パネルにおいて、前記電極取出し部は前記前面基板及び前記背面基板の少なくとも一方の基板とハンダにより接合されていることを特徴とする。
【００１８】
請求項５記載の表示パネルによれば、電極取出し部は前面基板及び背面基板の少なくとも一方の基板とハンダにより接合されているので、前面基板及び背面基板の温度を上げることなく電極取出し部と基板とを接合することができ、もって基板の特性の悪化を防止することができる。
【００１９】
請求項６記載の表示パネルは、請求項２乃至５のいずれか１項に記載の表示パネルにおいて、前記電極取出し部は、当該電極取出し部の４側面のうち少なくとも１側面上に電気的絶縁層を有することを特徴とする。
【００２０】
請求項６記載の表示パネルによれば、電極取出し部は、当該電極取出し部の４側面のうち少なくとも１側面上に電気的絶縁層を有するので、複数の電極同士の短絡を確実に防止することができる。
【００２１】
請求項７記載の表示パネルは、請求項２乃至６のいずれか１項に記載の表示パネルにおいて、前記電極は、前記電極取出し部を狭持するように形成された略コの字型部材から成ることを特徴とする。
【００２２】
請求項８記載の表示パネルは、請求項２乃至６のいずれか１項に記載の表示パネルにおいて、前記電極は、前記電極取出し部を貫通する棒状部材から成ることを特徴とする。
【００２３】
【発明の実施の形態】
以下、本発明の実施の形態に係る表示パネルを図面を参照しながら説明する。
【００２４】
図１は、本発明の実施の形態に係る表示パネルとしてのプラズマディスプレイパネルの概略構成を示す図であり、（ａ）は斜視図であり、（ｂ）は断面図である。
【００２５】
図１（ａ）及び図１（ｂ）において、表示パネルとしてのプラズマディスプレイパネル１は、各々、例えばソーダライムガラス製の透明基板から成る長方形の前面基板３０及び長方形の背面基板４０と、前面基板３０と背面基板４０の間に放電ガスが注入される放電空間６０を画定すべく前面基板３０と背面基板４０をその外周縁部で接合するシール材５０とを備える。前面基板３０は、背面基板４０とサイズが同じであり、互いにずれることなく長手方向が同一となるように対向している。
【００２６】
前面基板３０及び背面基板４０のうち、前面基板３０には、前面基板３０の放電空間６０側の面上に表示電極３２、主として亜鉛含有フリットガラスから構成される誘電体層３３、及び主として酸化マグネシウムから構成される保護層３４が順に積層されている。表示電極３２は、前面基板３０の両端部３１間で平行に配列される。
【００２７】
一方、同じく背面基板４０には、背面基板４０の放電空間６０側の面上に、画面上下分割用のデータ電極４２、及び主として亜鉛含有フリットガラスから構成される誘電体層４３が順に積層されている。データ電極４２は、背面基板４０の両側部４１の間で交互に且つ平行に配列され、且つ前面基板３０の表示電極３２と直交するように対向して配列される。
【００２８】
前面基板３０は、表示電極３２の外部への取出しを行うべく、長手方向に関してその両端部３１の一方に後述する図２（ａ）の電極取出し部３５を有し、背面基板４０は、データ電極４２の外部への取出しを行うべく、背面基板４０の長手方向に関して両側部４１の一方に後述する図２（ｂ）の電極取出し部４５を有する。
【００２９】
図２（ａ）は、図１における電極取出し部３５を示す斜視図であり、図２（ｂ）は、図１における電極取出し部４５を示す斜視図である。
【００３０】
電極取出し部３５は、図２（ａ）に示すように、例えばソーダライムガラス製の透明基板から成る長尺状の電極カセット３０１と、電極カセット３０１の長手方向に関して４側面のうち３面上に略コの字型に形成された複数の電極帯３０２とを備える。複数の電極帯３０２は、前面基板３０の放電空間６０側に配された表示電極３２と１対１に対向し、互いに平行になるように配される。
【００３１】
電極取出し部４５は、図２（ｂ）に示すように、例えばソーダライムガラス製の透明基板から成る長尺状の電極カセット４０１と、電極カセット４０１の長手方向に関して４側面のうち３面上に、電極カセット４０１を挟持するように略コの字型に形成された複数の電極帯４０２とを備える。複数の電極帯４０２は、背面基板４０の放電空間６０側に配されたデータ電極４２と１対１に対向し、互いに平行になるように配される。
【００３２】
図３（ａ）は、図１のプラズマディスプレイパネル１の電極取出し部３５近傍の部分斜視図であり、図３（ｂ）は、図１のプラズマディスプレイパネル１の電極取出し部４５近傍の部分斜視図である。
【００３３】
図３（ａ）に示すように、電極取出し部３５は、前面基板３０の両端部３１の一方を凹上に切欠くことにより形成される切欠き部３６に嵌め込まれる。電極取出し部３５上の複数の電極帯３０２は、各々、前面基板３０の放電空間６０側に配された表示電極３２と１対１に対向する。さらに、電極取出し部３５は、例えば、組成が９１．２Ｓｎ−８．８Ｚｎ（共晶点温度：１９８℃）のハンダａによって形成された横断面略コの字型の溶着層３７によって前面基板３０と接合されている。
【００３４】
電極取出し部４５は、図３（ｂ）に示すように、背面基板４０の両側部４１の一方を凹上に切欠くことにより形成される切欠き部４６に嵌め込まれる。電極取出し部４５上の複数の電極帯４０２は、各々、背面基板４０の放電空間６０側に配されたデータ電極４２と１対１に対向する。さらに、電極取出し部４５は、例えば、組成が９１．２Ｓｎ−８．８Ｚｎ（共晶点温度：１９８℃）のハンダａによって形成された横断面略コの字型の溶着層４７によって背面基板４０と接合されている。
【００３５】
本実施の形態によれば、前面基板１は、背面基板２とサイズが同じであり、互いにずれることなく長手方向が同一となるように対向しているので、電極取出し部３５及び電極取出し部４５が構造的に強くなり、もって搬送時等の取扱いを容易に行うことができる。
【００３６】
前面基板３０は長手方向に関して両端部３１の一方に電極取出し部３５を有し、背面基板４０は長手方向に関して両側部４１の一方に電極取出し部４５を有するので、前面基板３０の両端部３１と背面基板４０の両側部４１とを互いに突出させずに外部への電極の取出しを行うことができ、もって前面基板３０及び背面基板４０の寸法を小さくすることができる。
【００３７】
電極取出し部３５は、ハンダａによって形成された横断面略コの字型の溶着層３７によって長方形の前面基板３０と接合されているので、前面基板３０の温度を上げることなく電極取出し部３５と前面基板３０とを接合することができ、もって前面基板３０の特性の悪化を防止することができる。
【００３８】
電極取出し部４５は、ハンダａによって形成された横断面略コの字型の溶着層４７によって長方形の背面基板４０と接合されているので、背面基板４０の温度を上げることなく電極取出し部４５と背面基板４０とを接合することができ、もって背面基板４０の悪化を防止することができる。
【００３９】
本実施の形態では、電極取出し部３５は、電極カセット３０１の長手方向に関して４側面のうち、３面上に略コの字型に形成される複数の電極帯３０２を有するが、これに限るものではなく、図４（ａ）に示すように、電極カセット３０１を貫通した導電体から成る棒状の電極棒３０３を有する電極取出し部３５ａであってもよい。この場合は、電極棒３０３は金属粉末と鉛直方向に貫通孔を有する電極カセット３０１とをフリットシールすることによって構成される。同様に、電極取出し部４５は、電極カセット４０１を鉛直方向に貫通した導電体から成る電極棒４０３を有する電極取出し部３５ａであってもよい（図４（ｂ））。
【００４０】
また、電極取出し部３５は、電極取出し部３５の長手方向に関して４側面のうち、２面上に誘電体層３０４を有してもよい（図５（ａ））。これにより、複数の電極帯３０２同士の短絡を確実に防止することができる。同様に、電極取出し部４５は、電極取出し部３５の長手方向に関して４側面のうち、２面上に誘電体層４０４を有してもよい（図５（ｂ））。これにより、複数の電極帯４０２での短絡を確実に防止することができる。
【００４１】
さらに、前面基板３０は長手方向に関して両端部３１の一方に電極取出し部３５を有するが、これに限るものではなく、図６（ａ）に示すように、両端部３１の一方から離れた内側に電極取出し部３５を有していてもよい。同様に、背面基板４０は両側部４１の一方から離れた内側に電極取出し部３５を有していてもよい（図６（ｂ））。これにより、電極取出し部３５及び電極取出し部４５が更に構造的に強くなり、もって搬送時等の取扱いを更に容易に行うことができる。
【００４２】
前面基板３０は電極取出し部３５を複数有していてもよく、また、背面基板４０は電極取出し部４５を複数有していてもよい。
【００４３】
電極取出し部３５は、電極取出し部３５の長手方向に関して４側面のうち、２面上に誘電体層３０４を有するが、これに限るものではなく、他の複数面上に誘電体層を有していてもよく、また、１面のみに誘電体層を有していてもよい。
【００４４】
電極取出し部４５は、電極取出し部４５の長手方向に関して４側面のうち、２面上に誘電体層４０４を有するが、これに限るものではなく、他の複数面上に誘電体層を有していてもよく、また、１面のみに誘電体層を有していてもよい。
【００４５】
誘電体層３０４及び誘電体層３０４は、その材質が不伝導体等の電気的絶縁体から成る層であってもよい。
【００４６】
本実施の形態では、上記ハンダとして、９１．２Ｓｎ−８．８Ｚｎ（共晶点温度：１９８℃）のハンダａを用いたが、これに限定されるものではなく、Ｓｎ、Ｃｕ、Ｉｎ、Ｂｉ、Ｚｎ、Ｐｂ、Ｓｂ、Ｇａ、及びＡｇから成る群から選択された少なくとも１つの材料を含む合金又は金属であって、共晶点温度又は融点が２５０℃以下となるハンダであってもよい。
【００４７】
さらに、上記ハンダは、さらに、Ｔｉ、Ａｌ、及びＣｒから成る群から選択された少なくとも１つの材料を含んでいてもよい。これにより、電極取出し部３５と前面基板３０との接着性、及び電極取出し部４５と背面基板４０との接着性を向上させることができる。
【００４８】
上記ハンダとしては、具体的には、Ｓｎ−Ａｇ系、Ｓｎ−Ｃｕ系、Ｓｎ−Ａｇ−Ｃｕ系、Ｓｎ−Ａｇ−Ｂｉ系、Ｓｎ−Ａｇ−Ｃｕ−Ｂｉ系等のハンダであって、その共晶点温度が２５０℃以下となるようなハンダを用いてもよい。
【００４９】
また、電極取出し部３５と前面基板３０との接合は、ハンダによるものに限らず、フリットによるものであってもよい。同様に、電極取出し部４５と背面基板４０との接合は、フリットによるものであってもよい。
【００５０】
本実施の形態では、表示パネルとしてプラズマディスプレイパネル１を用いたが、これに限るものではなく、有機ＥＬ等のＥＬ表示パネルを用いてもよい。
【００５１】
【発明の効果】
以上詳細に説明したように、請求項１記載の表示パネルによれば、前面基板と背面基板は形状及びサイズが同一であり、互いにずれることなく対向しているので、前面基板及び背面基板が構造的に強くなり、もって搬送時等の取扱いを容易に行うことができる。
【００５２】
請求項２記載の表示パネルによれば、前面基板及び背面基板の少なくとも一方の基板は、少なくとも一方の基板の４辺の少なくとも１辺に、複数の電極と、複数の電極を取出す電極取出し部とを有するので、前面基板及び背面基板の両端部を突出させずに外部への電極の取出しを行うことができ、もって前面基板の寸法を小さくすることができる。
【００５３】
請求項３記載の表示パネルによれば、前面基板及び背面基板の少なくとも一方の基板は、少なくとも一方の基板の４辺の少なくとも１辺の縁に、複数の電極と、複数の電極を取出す電極取出し部とを有するので、前面基板及び背面基板の両端部を突出させずに外部への電極の取出しを行うことができ、もって前面基板の寸法を小さくすることができる。
【００５４】
請求項４記載の表示パネルによれば、前面基板及び背面基板の少なくとも一方の基板は、少なくとも一方の基板の４辺の少なくとも１辺の内側に、複数の電極と、複数の電極を取出す電極取出し部とを有するので、前面基板及び背面基板を更に構造的に強くすることができる。
【００５５】
請求項５記載の表示パネルによれば、電極取出し部は前面基板及び背面基板の少なくとも一方の基板とハンダにより接合されているので、前面基板及び背面基板の温度を上げることなく電極取出し部と基板とを接合することができ、もって基板の特性の悪化を防止することができる。
【００５６】
請求項６記載の表示パネルによれば、電極取出し部は、当該電極取出し部の４側面のうち少なくとも１側面上に電気的絶縁層を有するので、複数の電極同士の短絡を確実に防止することができる。
【図面の簡単な説明】
【図１】本発明の実施の形態に係る表示パネルとしてのプラズマディスプレイパネルの概略構成を示す図であり、（ａ）は斜視図であり、（ｂ）は断面図である。
【図２】（ａ）は、図１における電極取出し部３５を示す斜視図であり、（ｂ）は、図１における電極取出し部４５を示す斜視図である。
【図３】（ａ）は、図１のプラズマディスプレイパネル１の電極取出し部３５近傍の部分斜視図であり、（ｂ）は、図１のプラズマディスプレイパネル１の電極取出し部４５近傍の部分斜視図である。
【図４】（ａ）は図２の電極取出し部３５の変形例を示す図であり、（ｂ）は図２の電極取出し部４５の変形例を示す図である。
【図５】（ａ）は図２の電極取出し部３５の他の変形例を示す図であり、（ｂ）は図２の電極取出し部４５の他の変形例を示す図である。
【図６】（ａ）は、図１のプラズマディスプレイパネル１の電極取出し部３５近傍の他の部分斜視図であり、（ｂ）は、図１のプラズマディスプレイパネル１の電極取出し部４５近傍の他の部分斜視図である。
【図７】従来の表示パネルとしてのプラズマディスプレイパネルを示す概略構成図であり、（ａ）は斜視図であり、（ｂ）は断面図である。
【符号の説明】
１  プラズマディスプレイパネル
３０  前面基板
４０  背面基板
５０  シール材
６０  放電空間
３１  両端部
３２  表示電極
３３  誘電体層
３４  保護層
３５  電極取出し部
４１  両側部
４２  データ電極
４３  誘電体層
４５  電極取出し部
【図１】
2004286969.tif 000003
【図２】
2004286969.tif 000004
【図３】
2004286969.tif 000005
【図４】
2004286969.tif 000006
【図５】
2004286969.tif 000007
【図６】
2004286969.tif 000008
【図７】
2004286969.tif 000009